(57)【特許請求の範囲】
【請求項１】
複数の放水区域それぞれに配置された複数の放水器と、各放水器が放水起動中か放水停止中かを検出する複数の検出器と、前記放水器による放水を制御するもので同時に放水制御可能な放水区域数が予め決められており放水可能な区域以外の放水区域に対する放水を禁止制御する制御部と、を備える放水制御システムにおいて、
前記制御部は、
前記複数の放水器相互の切替えが指示された場合において、該指示の直前に放水起動中であった放水器が放水停止制御されたにも関わらず前記指示の以降にも放水起動中であることが前記検出器にて検出されている場合、該検出されている時間を計測する計測部を備え、
前記計測部による計測時間が所定時間以上になった際、前記制御部による放水の禁止制御を解除すること、
を特徴とする放水制御システム。
【請求項２】
複数の放水区域それぞれに配置された複数の放水器と、各放水器が放水起動中か放水停止中かを検出する複数の検出器とを備える放水制御システムに配置されるもので、前記放水器による放水を制御するもので同時に放水制御可能な放水区域数が予め決められており放水可能な区域以外の放水区域に対する放水を禁止制御する制御部を備える放水制御盤において、
前記放水制御盤の前記制御部は、
前記複数の放水器相互の切替えが指示された場合において、該指示の直前に放水起動中であった放水器が放水停止制御されたにも関わらず前記指示の以降にも放水起動中であることが前記検出器にて検出されている場合、該検出されている時間を計測する計測部を備え、
前記計測部による計測時間が所定時間以上になった際、前記制御部による放水の禁止制御を解除すること、
を特徴とする放水制御盤。
【発明の詳細な説明】
【０００１】
【発明の属する技術分野】
本発明は、各放水器が放水起動中か放水停止中かを検出器にて検出し、放水起動中であることが検出されている放水器以外の放水器による放水を禁止制御する放水制御システム、及び該システム内に配置される放水制御盤に関する。
【０００２】
【従来の技術】
近年の建築設計の多様化に伴い、大空間や高天井の建築物に対する消防設備として種々の形式が提案されている。このような消防設備を大別すると、広範囲の放水区域に放水方向、範囲を調節できる放水ノズルを設け、火源に対して放水ノズルを向けて放水する可動式消防設備と、複数の放水区域それぞれにスプリンクラーヘッドや放水ヘッド等の放水器を設け、火源の存在する放水区域の放水器を選択して放水する固定式消防設備とが挙げられる。
このうち固定式消防設備においては、複数の放水区域のいずれかにおいて放水起動中である場合、他の放水区域の放水器による放水を禁止するための制御（以下、禁止制御）がなされるのが一般的である。これは通常、複数の放水区域の放水器によって同時に放水を行うための放水能力を備えていないため、同時に放水を行う放水区域を一定数以下（一般には一区域のみ）に制限する必要があるからである。そして延焼拡大等に対応するために放水区域を切替える際には、現在放水中の放水器が停止したことを確認し、禁止制御を解除して、他の放水区域の放水器による放水を起動している。
【０００３】
このような禁止制御を行う放水制御システムについてより具体的に説明する。図１は従来及び本発明に共通の固定式消防設備の全体構成を示す図である。この図１に示すように、放水区域Ａ、Ｂにはそれぞれ、火災感知器１ａ、１ｂ、放水区域感知器２ａ、２ｂ、放水器３ａ、３ｂ及び手動操作盤４ａ、４ｂが配置されている。また放水区域外に配置された水源水槽６には加圧送水装置７が設けられ、この加圧送水装置７によって各放水器３ａ、３ｂに水が供給される。また放水区域外にはさらに、全放水区域内に配置された放水等を集中制御する集中制御盤５が設けられている。
【０００４】
ここで各放水器３ａ、３ｂと加圧送水装置７との間の放水路９ａ、９ｂには該放水路９ａ、９ｂを開放又は遮蔽する開放弁１０ａ、１０ｂと、放水路９ａ、９ｂ中の水圧を検出することにより各放水器３ａ、３ｂが放水起動中か放水停止中かを検出する検出器たる圧力スイッチ１０ａ、１０ｂが設けられている。そして、いずれかの放水器３ａ、３ｂが放水起動中であることが圧力スイッチ１０ａ、１０ｂにて検出されている場合には、他の放水器３ａ、３ｂによる放水を禁止するための禁止制御が手動操作盤４ａ、４ｂ又は集中制御盤５（本明細書中において、これら手動操作盤４と集中制御盤５とを総称して放水制御盤とする。）において行われる。すなわち他の放水器への切替えが指示された場合には、放水起動中の放水器に通ずる放水路の開放弁を遮断すると共に、該放水起動中の放水器が放水停止中となったか否かを圧力スイッチにて検出する。そして、この放水圧力が放水停止中となるまで他の放水器による放水を禁止し、放水停止中となった場合には他の放水器による放水を起動すべく、該起動する放水器に通ずる放水路の開放弁を開放する。
なお開放弁のＯＮ／ＯＦＦでなく圧力スイッチにて放水起動中か放水停止中かを検出するのは、開放弁のＯＮ／ＯＦＦと実際の放水圧力の変化との間に時間差があるため、実際の放水圧力に基づいて放水状態を判断することとしているためである。
【０００５】
【発明が解決しようとする課題】
しかしながら従来のこのような固定式消防設備の放水制御システムにおいては、圧力スイッチにて放水起動中か放水停止中かを検出していたので、圧力スイッチが故障した場合には、放水停止中であるにも関わらず圧力スイッチが復旧しないため、放水起動中であると検出され、禁止制御を解除することができなかった。したがって火災が他の放水区域へ延焼しているにも関わらず、該延焼している放水区域へ放水を切替えることができないおそれがあった。
【０００６】
本発明は、従来のこのような問題点に鑑みてなされたもので、放水器切替時において圧力スイッチが故障した場合であっても他の放水区域へ放水を切替え、確実な放水切替えを可能とする、放水制御システム及び該放水制御システム内において放水制御を行う放水制御盤を提供することを目的とする。
【０００７】
【課題を解決するための手段】
このような従来の放水制御システムにおける問題点を解決するために請求項１に記載の本発明は、複数の放水区域それぞれに配置された複数の放水器と、各放水器が放水起動中か放水停止中かを検出する複数の検出器と、前記放水器による放水を制御するもので同時に放水制御可能な放水区域数が予め決められており、放水可能な区域以外の放水区域に対する放水を禁止制御する制御部と、を備える放水制御システムにおいて、前記制御部は、前記複数の放水器相互の切替えが指示された場合において、該指示の直前に放水起動中であった放水器が放水停止制御されたにも関わらず前記指示の以降にも放水起動中であることが前記検出器にて検出されている場合、該検出されている時間を計測する計測部を備え、前記計測部による計測時間が所定時間以上になった際、前記制御部による放水の禁止制御を解除することを特徴として構成されている。
【０００８】
また従来の放水制御盤における問題点を解決するために請求項２に記載の本発明は、複数の放水区域それぞれに配置された複数の放水器と、各放水器が放水起動中か放水停止中かを検出する複数の検出器とを備える放水制御システムに配置されるもので、前記放水器による放水を制御するもので同時に放水制御可能な放水区域数が予め決められており放水可能な区域以外の放水区域に対する放水を禁止制御する制御部を備える放水制御盤において、前記放水制御盤の前記制御部は、前記複数の放水器相互の切替えが指示された場合において、該指示の直前に放水起動中であった放水器が放水停止制御されたにも関わらず前記指示の以降にも放水起動中であることが前記検出器にて検出されている場合、該検出されている時間を計測する計測部を備え、計測部による計測時間が所定時間以上になった際、前記制御部による放水の禁止制御を解除することを特徴として構成されている。
【０００９】
【発明の実施の形態】
以下、本発明の放水制御システム及び放水制御盤の一実施形態について図面を参照して詳細に説明する。図１は本願の固定式消防設備の全体構成を示す図、図２は集中制御盤の要部正面図、図３は手動操作盤の要部正面図、図４は放水制御の論理回路図である。
【００１０】
図１に示すように、複数の放水区域Ａ、Ｂにはそれぞれ、火災感知器１ａ、１ｂ、放水区域感知器２ａ、２ｂ、放水器３ａ、３ｂ、及び手動操作盤４ａ、４ｂが配置されている。このうち火災感知器１ａ、１ｂは各放水区域内における火災の発生を検出するもので（また後述するＡＮＤ出力を得るための放水ＡＮＤ用感知器であり）具体的には光電式煙感知器の如き感知器である。また放水区域感知器２ａ、２ｂは各放水区域Ａ、Ｂ内における火源位置を特定するもので具体的には赤外線スポット型感知器の如き感知器である。また放水器３ａ、３ｂは放水区域Ａ、Ｂ内への放水を行うものであり具体的にはスプリンクラーヘッドや放水ヘッド等の開放型の固定式放水器である。また手動操作盤４ａ、４ｂは該手動操作盤４ａ、４ｂの配置された放水区域Ａ、Ｂ内における放水器３ａ、３ｂの放水を現地にて制御すると共に該放水器３ａ、３ｂによる放水を手動で操作するために使用される。
【００１１】
また図１に示すように、放水区域Ａ、Ｂの区域外には、集中制御盤５が設けられている。この集中制御盤５は各放水区域Ａ、Ｂ内の放水制御、切替え制御等を集中制御するもので、各放水区域Ａ、Ｂ内の火災感知器１ａ、１ｂ、放水区域感知器２ａ、２ｂ、放水器３ａ、３ｂ及び手動操作盤４ａ、４ｂと、後述する加圧送水装置７、開放弁９ａ、９ｂ及び圧力スイッチ１０ａ、１０ｂに電気的に接続されている。なお図１においては電気的接続の図示を省略する。
【００１２】
また放水区域Ａ、Ｂ外の水源水槽６には加圧送水装置７が設けられ、この加圧送水装置７によって各放水器３ａ、３ｂに水が供給される。具体的には加圧送水装置７から放水路８ａを経て放水器３ａに、放水路８ｂを経て放水器３ｂにそれぞれ放水用の水が供給される。ここで各放水路８ａ、８ｂ中には、該放水路８ａ、８ｂを開放又は遮蔽する開放弁９ａ、９ｂが設けられている。
また放水路８ａ、８ｂ中には、各開放弁９ａ、９ｂに対する放水器３側の近傍位置に、検出器たる圧力スイッチ１０ａ、１０ｂが設けられている。この圧力スイッチ１０ａ、１０ｂは、放水路８ａ、８ｂ中の水圧を検出することによって各放水器３ａ、３ｂが放水起動中か放水停止中かを検出する。例えば、圧力スイッチ１０ａは放水路８ａ中の水圧が所定値以上であればＯＮ状態となってＯＮ信号を出力し、所定値以下であればＯＦＦ状態（復帰状態）となってＯＦＦ信号を出力する。これらＯＮ信号又はＯＦＦ信号は手動操作盤４ａ、４ｂ及び集中制御盤５に入力され、該手動操作盤４ａ、４ｂ及び集中制御盤５では、ＯＮ信号入力時には放水器３ａは放水起動中であり、ＯＦＦ信号入力時には放水器３ａは放水停止中であると判断する。
【００１３】
次に本放水制御システムにおける放水制御の概要について、図１〜３を参照して説明する。
本放水制御システムにおいては、放水を自動で行うためのモード（以下、自動放水モード）と、放水を手動で行うためのモード（以下、手動放水モード）との２つのモードにて放水可能である。
初期状態においては自動放水モードに設定されており、火災感知器１ａ、１ｂと放水区域感知器２ａ、２ｂとのＡＮＤ出力が得られた放水区域Ａ、Ｂに対して自動的に放水が行われる。なお誤放水を防止するため、火災感知器１ａ、１ｂと放水区域感知器２ａ、２ｂとのＡＮＤ出力が得られることにより所定時間のカウントダウンが開始され、該カウントダウン終了までに放水停止が指示されない場合に限って自動放水が行われる。このカウントダウン時間は、図２の集中制御盤５の時間表示部５１に表示される。
【００１４】
また手動放水モードにおける放水は、火災感知器１ａ、１ｂや放水区域感知器２ａ、２ｂからの出力の有無に関わらず、集中制御盤５又は放水したい放水区域Ａ、Ｂの手動操作盤４ａ、４ｂを操作して手動で行うことができる。
集中制御盤５を介して放水を行うためには、放水したい放水区域に割当てられた表示群５３ａ又は表示群５３ｂの選択ボタン５９を押して放水区域を選択する（なお本実施形態において表示群５３ａは放水区域Ａ、表示群５３ｂは放水区域Ｂにそれぞれ割当てられている）。放水区域を選択後、集中制御盤５の放水キー部５２に所定の鍵を指込み、「放水」側へ鍵を回すことによって選択した放水区域に放水が開始される。
また手動操作盤４を介して放水を行うためには、放水したい放水区域Ａ、Ｂの手動操作盤４ａ、４ｂの選択ボタン４３を押す。そして放水キー部４１に所定の鍵を指込み、「放水」側へ鍵を回すことによって放水を開始する。
なお、監視区域Ａ、Ｂが同一空間内で隣り合っている場合など両方の監視区域が目視できる場合には、手動操作盤４は放水区域Ａ、Ｂ毎にそれぞれ設けなくともよく、一つの手動操作盤で選択放水できるようにしても良い。図３の手動操作盤４は５つの監視区域を選択して放水することができる。
また自動放水モード及び手動放水モードにおける放水の緊急停止は、集中制御盤５の緊急停止ボタン５４を押す。あるいは放水起動中の放水区域Ａ、Ｂの手動操作盤４ａ、４ｂの緊急停止ボタン４２を押す。
【００１５】
この他、集中制御盤５の表示群５３ａ、５３ｂにはそれぞれ、図２中上方から、火災感知器１ａ、１ｂにて火災発生が検出されている時に点灯する火災灯５５、放水区域感知器２ａ、２ｂにより放水区域として特定されている時に点灯する火災灯５６、開放弁９ａ、９ｂが開放途中にある時に点滅すると共に該開放弁９ａ、９ｂが完全に開放している時に点灯する起動弁開灯５７、圧力スイッチ１０ａ、１０ｂにより放水起動中であることが検出されている時に点灯する放水灯５８が配置されている。なお選択ボタン５９は、自動放水モードにおいては火災感知器１ａ、１ｂと放水区域感知器２ａ、２ｂとのＡＮＤ出力が得られている時に点灯し、手動放水モードにおいては該選択ボタン５９が押されることによって点灯する。また図示は省略するが、手動操作盤４ａ、４ｂや集中制御盤５には、操作員相互が連絡を取るためのインターホンや、警報を発するブザー等がさらに設けられている。
なおこのような手動操作盤４ａ、４ｂや集中制御盤５における制御は、これら手動操作盤４ａ、４ｂ及び集中制御盤５に設けた図示しない制御部により行われる。この制御部は電子回路により、又はさらにＣＰＵ、外部記憶装置及びプログラムを含んで構成されている。
【００１６】
前記の如き自動放水モード又は手動放水モードによる放水起動中においては、従来と同様に、手動操作盤４ａ、４ｂ及び集中制御盤５の制御部において禁止制御が行われる。例えば放水区域Ａの放水器３ａが放水起動中である状態において、他の放水区域Ｂの放水器３ｂへの放水切替えが指示された場合を考える（この指示は、自動放水モード下においては他の放水区域Ｂの火災感知器１ｂと放水区域感知器２ｂとのＡＮＤ出力が得られることにより、あるいは手動モード下においては集中制御盤５の表示群５３ｂの選択ボタン５９か手動操作盤４ｂの選択ボタン４３が押されることにより行われる）。
この指示が行われた場合、手動操作盤４ｂ及び集中制御盤５の制御部は、放水起動中の放水器３ａに通ずる放水路８ａの開放弁９ａを遮断すべく該開放弁９ａに制御信号を出力し、圧力スイッチ１０ａからの入力信号に基づいて放水起動中の放水器３ａが放水停止中となったか否かを判別する。そして放水器３ａが放水停止中となるまで他の放水器３ｂによる放水を禁止するため開放弁９ｂの遮断を維持するための制御信号を出力する（あるいは開放するための制御信号を出力せず）。この信号出力中には、放水器３ｂを選択するための選択ボタン５９、４３は非有効状態となり、選択ボタン５９、４３が押されても放水器３ｂによる放水は行われない。その後、放水器３ａが放水停止中となった場合には放水器３ｂによる放水を起動すべく、開放弁９ｂを開放するための制御信号を出力する。すると放水器３ｂを選択するための選択ボタン５９、４３は有効状態となり、選択ボタン５９、４３が押され放水キー部５２、４１が放水側に回されると放水器３ｂによる放水が起動する。
ここで制御部は従来と異なり、所定条件下において、放水区域の切替え時に放水停止した放水区域から放水停止信号を受信しない場合でも他放水区域への放水禁止制御を解除する。これは、圧力スイッチ１０ａが故障し、他放水区域の放水切替えのため放水器３ａが放水停止したにも関わらず放水起動中であると検出された場合であっても、放水区域Ｂへの放水切替えを可能とするためである。
つまり、本発明の実施形態は、放水区域の放水停止を行なって所定時間経過しても圧力スイッチから放水停止信号が受信されない場合に、禁止制御を解除して他の放水区域への放水を可能とする。
【００１７】
以下、上記禁止制御及び該禁止制御の解除を達成するための論理回路について、図４、５を参照して説明する。
図４において、Ｕ１はラッチＩＣ部であり、該ラッチＩＣ部Ｕ１の出力で放水器３ａ、３ｂを放水起動とするか放水停止とするかが決定されている。すなわちラッチＩＣ部Ｕ１のセット端子に信号が入力された時にはラッチＩＣ部Ｕ１から放水起動のための放水起動信号が出力され、ラッチＩＣのリセット端子に信号が入力された時にはラッチＩＣから放水停止ための放水停止信号が出力される。
【００１８】
このうちラッチＩＣ部Ｕ１のリセット端子へ入力される信号は、緊急停止信号、放水区域変更信号又はパワーオンリセット信号のいずれかである。このため図４に示すように、緊急停止信号と放水区域変更信号とを入力とするＯＲ回路Ｕ２が形成され、さらにＯＲ回路Ｕ２の出力とパワーオンリセット信号とを入力とするＯＲ回路Ｕ３が形成されて、このＯＲ回路Ｕ３の出力信号がラッチＩＣ部Ｕ１のリセット端子へ入力される。
ここで緊急停止信号とは、手動操作盤４ａ、４ｂの緊急停止スイッチ４２又は集中制御盤５の緊急停止スイッチ５４が押された際に発せられる信号である。また放水区域変更信号とは、上記のように自動放水モード又は手動放水モード下における放水切替えが指示された際、手動操作盤４ａ、４ｂ又は集中制御盤５から発せられる信号である。またパワーオンリセット信号とは、停電復旧時等における誤動作を防止するため、手動操作盤４ａ、４ｂ又は集中制御盤５の電源が一旦電源が遮断された後の再投入時に、手動操作盤４ａ、４ｂ又は集中制御盤５から発せられる信号である。
【００１９】
またラッチＩＣ部Ｕ１のセット端子に入力される信号は、基本的には従来と同様に、放水キー操作信号かカウントダウンタイマータイムアップ信号のいずれかである。このため図４に示すように、放水キー操作信号と、カウントダウンタイマータイムアップ信号とを入力とするＯＲ回路Ｕ４が形成されている。
ここで放水キー操作信号とは、上述のように手動操作盤４ａ、４ｂ又は集中制御盤５において手動放水モードにおける放水が指示された際、発せられる信号である。またカウントダウンタイマータイムアップ信号とは、上述のように自動放水モードにおける誤放水を防止するためのカウントダウンタイマーがカウントアップした際、発せられる信号である。
【００２０】
ここで禁止制御を行うため、ＯＲ回路Ｕ４から出力された信号は放水起動禁止信号にてキャンセル可能とされている。このためＯＲ回路Ｕ４の出力と、放水起動禁止信号の反転信号とを入力とするＡＮＤ回路Ｕ５が形成されており、放水起動禁止信号がＯＮである限り、ラッチＩＣ部Ｕ１のセット端子には信号が入力されない。
この放水起動禁止信号は、基本的には従来と同様に、いずれかの放水器３による放水が行われていることを示す放水起動中信号によって構成される。この放水起動中信号は、少なくとも一つ以上の圧力スイッチが作動中であることを示す圧力スイッチ作動中信号（代表信号）と、圧力スイッチの作動回線と選択回線とが同じであることを示す一致信号の反転信号とを入力とするＡＮＤ回路Ｕ７から出力される。
【００２１】
なお図５には一致信号を形成する論理回路を示す。
このように圧力スイッチの作動回線と選択回線とが同じであることを判断するのは次の理由による。すなわち一旦放水器３ａ、３ｂの停止や切替えを指示したものの、火災の勢いがぶり返してきたような場合に再放水を行いたい場合がある。しかし通常の制御下では圧力スイッチ１０ａ、１０ｂの復帰を待たないと再放水できないので、再放水を迅速に行うことができないおそれがある。このような不具合を解消するため、本制御システムにおいては同一の放水器３ａ、３ｂであれば圧力スイッチの復帰を待つことなく再放水が可能となるようにしているのである。このため図５に示すように、放水器３ａの圧力スイッチ１０ａが作動中であることを示す信号と放水器３ａが選択されていることを示す信号とを入力とするＡＮＤ回路Ｕ８、放水器３ｂの圧力スイッチ１０ｂが作動中であることを示す信号と放水器３ｂが選択されていることを示す信号とを入力とするＡＮＤ回路Ｕ９、ＡＮＤ回路Ｕ８の出力とＡＮＤ回路Ｕ９の出力とを入力とするＯＲ回路Ｕ１０が設けられており、このＯＲ回路Ｕ１０の出力として一致信号が形成されている。
【００２２】
ここで本制御システムにおいては、禁止制御を所定条件下で解除可能とするため、放水起動禁止信号は圧力スイッチ故障信号にてキャンセル可能とされている。このため図４に示すように、圧力スイッチ故障信号の反転信号と、放水起動中信号とを入力とするＡＮＤ回路Ｕ６が形成されており、圧力スイッチ故障信号がＯＮの場合には、放水起動禁止信号がＡＮＤ回路Ｕ５に入力されない。
この圧力スイッチ故障信号は、放水器３の切替えが指示された際、所定時間経過しても切替え前の放水器３の放水が停止しない場合に発せられる。このため、ＡＮＤ回路Ｕ７の出力と、ラッチＩＣ部Ｕ１の反転出力とを入力とするＮＡＮＤ回路Ｕ１１が形成され、またこのＮＡＮＤ回路Ｕ１１の出力によりリセットされる計測部たる圧力スイッチ故障検出タイマーＴＭ１が設けられている。
【００２３】
したがって放水起動信号がＯＦＦかつ圧力スイッチ信号がＯＮの場合（すなわち放水停止が指示されているにも関わらず圧力スイッチが復帰しない状態）以外には、圧力スイッチ故障検出タイマーＴＭ１のリセット状態が維持され、カウントダウンは行われない。一方、放水起動信号がＯＦＦかつ圧力スイッチ信号がＯＮの場合には、圧力スイッチ故障検出タイマーＴＭ１のリセット状態が解除され、該圧力スイッチ故障検出タイマーＴＭ１によるカウントダウンが行われる。そしてカウントアップ以前に圧力スイッチ信号がＯＦＦとなれば圧力スイッチ故障検出タイマーＴＭ１はリセットされるので圧力スイッチ故障信号は出力されず、したがって禁止制御は解除されないが、カウントアップした場合には圧力スイッチ故障検出タイマーＴＭ１から圧力スイッチ故障信号が出力され、この反転信号がＡＮＤ回路Ｕ６に入力されて、放水起動禁止信号が解除される。したがってラッチＩＣ部Ｕ１からは放水起動信号が出力され、放水器３ａ、３ｂの切替えが行われる。なお圧力スイッチ故障検出タイマーＴＭ１のＣＬＫ端子にはカウントダウン同期用のクロック信号が入力される。
【００２４】
なお本制御システムの設置場所によって開放弁９ａ、９ｂから放水器３ａ、３ｂに至る放水路８ａ、８ｂの長さや管径が異なるため、放水を停止してから圧力スイッチ１０ａ、１０ｂが正常に復帰するまでの長さも異なる。このため、圧力スイッチ故障検出タイマーＴＭ１には図示しない調整ダイヤルが設けられており、この調整ダイヤルを介して、圧力スイッチ故障検出タイマーＴＭ１のカウントアップ時間（リセット信号が入力されてからタイムアップするまでの時間）が調整可能である。
【００２５】
次に切替動作のタイミングについて、放水器３ａで放水を行っている状態から、放水器３ｂでの放水に切替える場合を例にとって説明する。
図６には正常動作時（圧力スイッチ１０ａに故障がない状態での動作時、以下同じ）におけるタイミングを示し、図７には異常動作時（圧力スイッチ１０ａに故障がある状態での動作時、以下同じ）におけるタイミングを示す。これら図６、７はそれぞれ、符号正視状態における上方から順に、放水区域Ａにおける開放弁９ａの開出力（開放弁を開くための出力）、選択ボタン５９、４３、圧力スイッチ１０ａ、及び放水圧力と、放水区域Ｂにおける、開放弁９ｂの開出力、選択ボタン５９、４３、圧力スイッチ１０ｂ、及び放水圧力と、圧力スイッチ故障検出タイマーＴＭ１の出力と、放水起動禁止信号の出力を示す。また図６、７の最下段には操作者による操作内容等を示す。
【００２６】
まず図６に示す正常動作時のタイミングについて説明する。
当初、放水区域Ａの放水器３ａにおいて放水が行われているので、該放水区域Ａにおける開放弁１０ａの開出力はＯＮであり、選択ボタン５９、４３は点灯している。また放水圧力は放水中圧力を示し、該圧力を検出する圧力スイッチ１０ａはＯＮしている。一方、放水区域Ｂにおいては非放水のため、開放弁１０ｂの開出力はＯＦＦであり、選択ボタン５９、４３は消灯している。また放水圧力は非放水中圧力を示し、該圧力を検出する圧力スイッチ１０ｂはＯＦＦしている。またこのように放水起動中においては圧力スイッチ故障検出タイマーＴＭ１はリセット状態を維持されてその出力はＯＦＦであり（図４参照）、また放水区域Ａ以外での放水を禁止すべく放水起動禁止信号はＯＮである。
【００２７】
ここで放水区域Ｂの放水器３ｂの選択ボタン５９、４３が押されること等により放水器３ｂへの放水切替が指示された際、放水区域Ａにおける開放弁１０ａの開出力はＯＦＦとなり、開放弁９ａを閉じ、選択ボタン５９、４３は消灯となる。また開放弁９ａの閉制御により放水圧力は徐々に低下するが、該圧力が完全に下がるまでは圧力スイッチ１０ａはＯＮのままである。したがって圧力スイッチ１０ａがＯＦＦになる時間Ｔ１まで放水起動禁止信号はＯＮのままであり、放水区域Ｂにおいては、まだ禁止制御が解除されていないために放水不可能状態であり、開放弁１０ｂの開出力はＯＦＦ、選択ボタン５９、４３は放水区域Ａの放水停止が完全に終了するまで点滅、圧力スイッチ１０ｂはＯＦＦ、放水圧力は非放水中圧力である。
【００２８】
また切替えが指示された際、放水起動禁止信号はＯＦＦかつ圧力スイッチ信号はＯＮであるため、圧力スイッチ故障検出タイマーＴＭ１がカウントダウンを開始する。
そして放水区域Ａでの放水圧力が十分に低下し、圧力スイッチ故障検出タイマーＴＭ１がカウントアップする前に放水区域Ａでの圧力スイッチ１０ａがＯＦＦになると（図６において符号Ｔ１にて示す時点）、圧力スイッチ故障検出タイマーＴＭ１がリセットされると共に放水起動禁止信号はＯＦＦとなり、Ｂ区域において、選択ボタン５９、４３は点灯となる。すると該選択ボタン５９、４３が有効状態となり、この状態で放水キー５２、４１を放水側に回すと、Ｂ区域において放水制御が開始され開放弁９ｂの開出力はＯＮとなり、放水圧力が上昇する。
そして放水圧力が所定値以上にまで上昇すると、Ｂ区域の圧力スイッチ１０ｂはＯＮとなる（図５において符号Ｔ２にて示す時点）。
これで正常時における放水器３ａから放水器３ｂへの放水切替が完了する。
【００２９】
次に図７に示す異常動作時のタイミングについて説明する。
図７における符号Ｔ３までの状態は図６における符号Ｔ１までの状態と同じであるが、その後、Ａ区域での放水圧力が十分に低下しても、Ａ区域の圧力スイッチ１０ａがＯＦＦにならない場合、圧力スイッチ故障検出タイマーＴＭ１がカウントアップする（図７において符号Ｔ４にて示す時点）。すると、制御部が圧力スイッチ故障信号の出力で禁止制御を解除することによって放水起動禁止信号はＯＦＦとなる。すると放水器３ｂの選択ボタン５９、４３が点滅から点灯になり有効状態となる。よって放水キー５２、４１を操作することでＢ区域の放水制御が開始され、放水区域Ｂの開放弁９ｂの開出力はＯＮし、放水圧力が上昇する。そして放水圧力が一定値以上にまで上昇すると、圧力スイッチ１０ｂはＯＮとなる。
これで異常時における放水器３ａから放水器３ｂへの放水切替が完了する。
【００３０】
さてこれまで本発明の一実施形態について説明したが、本発明は前記に示した実施形態に限定されず、その技術的思想の範囲内において種々異なる形態にて実施されてよいものであり、以下、これら異なる形態について説明する。
まず本制御システムは前記実施形態に示した固定式消防設備以外の周知のあらゆる消防設備に適用されてよい。また放水器３の放水状態を検出するための検出器としては圧力スイッチ以外にも周知のあらゆる検出器が用いられてよく、また計測部としては図示のタイマー以外にも周知のあらゆる計測部が用いられてよい。この他、図４、５に示した論理回路図は一例であり、計測部による計測時間が所定時間以上となったことに基づいて禁止制御を解除することは、図示以外の論理でも達成可能である。
上記実施形態においては放水区域がＡ、Ｂの２区域であり、また各放水区域には放水器を一器のみ設けているが、３つ以上の放水区域それぞれに複数の放水器を設けてもよい。また手動操作盤か集中制御盤のいずれか一方を省略することも可能である。
【００３１】
【発明の効果】
これまで説明したように請求項１、２に記載の本発明は、制御部は、複数の放水器相互の切替えが指示された場合において、指示の直前に放水起動中であった放水器が指示の以降にも放水起動中であることが検出器にて検出されている場合、該検出されている時間を計測する計測部を備え、計測部による計測時間が所定時間以上になった際、制御部による放水の禁止制御を解除すること等により、切替え指示後の計測時間の経過によって圧力スイッチの故障を自動的に判断することができる。そして圧力スイッチが故障した場合においても禁止制御を自動的に解除し、確実な放水切替を行うことができる。したがって放水システム全体の信頼性を一層向上させることができる。
【図面の簡単な説明】
【図１】従来及び本願に共通の固定式消防設備の全体構成を示す図である。
【図２】本発明の一実施形態における集中制御盤の要部正面図である。
【図３】本発明の一実施形態における手動操作盤の要部正面である。
【図４】本発明の一実施形態における放水制御の論理回路図である。
【図５】図４の一致信号を形成する論理回路を示す論理回路図である。
【図６】正常動作時における放水区域切替動作のタイミングを示すタイミングチャートである。
【図７】異常動作時における放水区域切替動作のタイミングを示すタイミングチャートである。
【符号の説明】
Ａ、Ｂ  放水区域
Ｕ１    ラッチＩＣ部
Ｕ２〜Ｕ１１  ＡＮＤ回路、ＯＲ回路又はＮＡＮＤ回路
ＴＭ１  圧力スイッチ故障検出タイマー
１ａ、１ｂ  火災感知器
２ａ、２ｂ  放水区域感知器
３ａ、３ｂ  放水器
４ａ、４ｂ  手動操作盤
５  集中制御盤
６  水源水槽
７  加圧送水装置
８ａ、８ｂ  放水路
９ａ、９ｂ  開放弁
１０ａ、１０ｂ  圧力スイッチ
５１  時間表示部
４１、５２  放水キー部
５３ａ、５３ｂ  表示群
５４、４２  緊急停止ボタン
５５  火災灯
５６  火災灯
５７  起動弁開灯
５８  放水灯
５９  選択ボタン
【図１】
0003807849.tif 000002
【図２】
0003807849.tif 000003
【図３】
0003807849.tif 000004
【図４】
0003807849.tif 000005
【図５】
0003807849.tif 000006
【図６】
0003807849.tif 000007
【図７】
0003807849.tif 000008